(57)【要約】【課題】早期にバックカメラ１０からの映像をＬＣＤパネル１６に表示する。【解決手段】システムの起動時において、ディスプレイコントローラ１４は、メモリ２０から設定データによる設定を行い、セレクタ５４によりバックカメラ１０から直接供給されるビデオ信号を選択し、これを解像度変換したビデオ信号をＬＣＤパネル１６に供給する。一方、システムコントローラ１２が立ち上がった後に、セレクタ５４によりシステムコントローラ１２から供給されるビデオ信号を選択し、これをＬＣＤパネル１６に供給する。【選択図】図１
2013007907.tif 000002
【特許請求の範囲】
【請求項１】
システムコントローラと、ディスプレイコントローラを含む、映像信号処理システムであって、
前記システムコントローラは、
カメラからの映像信号について、デコードするとともに映像信号処理をして第１ビデオ信号を得る、第１映像信号処理回路と、
外部バスに接続され、ここから供給される設定データを利用して、前記第１映像信号処理回路における処理を制御する処理部と、
を含み、
前記ディスプレイコントローラは、
カメラからの映像信号について、デコードして第２ビデオ信号を得る、第２映像信号処理回路と、
前記第１ビデオ信号および第２ビデオ信号のいずれかを選択するセレクタと、
このセレクタの出力をディスプレイパネルに向けて出力するインタフェースと、
前記外部バスに接続され、ここから供給される設定データにより各種設定を行う設定部と、
を含み、
システムの起動時において、
前記ディスプレイコントローラは、
記憶部から設定データによる設定を行い、セレクタにより第２ビデオ信号を選択し、第２ビデオ信号を解像度変換したビデオ信号を出力し、
システムコントローラが立ち上がった後に、セレクタにより第１ビデオ信号を選択し、第１ビデオ信号を前記ディスプレイに供給する、
映像信号処理システム。
【発明の詳細な説明】
【技術分野】
【０００１】
本発明は、システムコントローラと、ディスプレイコントローラを含む、映像信号処理システムに関する。
【背景技術】
【０００２】
従来より、車両には、ナビゲーション装置の地図表示などモニタが搭載されている場合が多い。さらに、車両の後方を確認するバックカメラが装備される場合も多くなってきており、この場合ドライバ用のモニタが必須になる。
【０００３】
また、米国では、法規制により、２０１４年以降の新車にはバックカメラの装備が必要となる。そして、このバックカメラでは、エンジン始動時にバックカメラ映像がモニタに即時表示されることが求められる。なお、モニタには、液晶ディスプレイが利用される場合が多い。
【先行技術文献】
【特許文献】
【０００４】
【特許文献１】特開２０１０−１０９６８４号公報
【発明の概要】
【発明が解決しようとする課題】
【０００５】
ここで、モニタに映す映像は、なるべく見やすいことが要求され、各種の設定を適用して映像処理することなどに起因して、起動するまでに時間が掛かってしまう。
【課題を解決するための手段】
【０００６】
本発明は、システムコントローラと、ディスプレイコントローラを含む、映像信号処理システムであって、前記システムコントローラは、カメラからの映像信号について、デコードするとともに映像信号処理をして第１ビデオ信号を得る、第１映像信号処理回路と、外部バスに接続され、ここから供給される設定データを利用して、前記第１映像信号処理回路における処理を制御する処理部と、を含み、前記ディスプレイコントローラは、カメラからの映像信号について、デコードして第２ビデオ信号を得る、第２映像信号処理回路と、前記第１ビデオ信号および第２ビデオ信号のいずれかを選択するセレクタと、このセレクタの出力をディスプレイパネルに向けて出力するインタフェースと、前記外部バスに接続され、ここから供給される設定データにより各種設定を行う設定部と、を含み、システムの起動時において、前記ディスプレイコントローラは、記憶部から設定データによる設定を行い、セレクタにより第２ビデオ信号を選択し、第２ビデオ信号を解像度変換したビデオ信号を出力し、システムコントローラが立ち上がった後に、セレクタにより第１ビデオ信号を選択し、第１ビデオ信号を前記ディスプレイに供給する、ことを特徴とする。
【発明の効果】
【０００７】
システムの起動時において、システムコントローラを用いずディスプレイコントローラが直接カメラからの映像信号を処理するため、起動を早くすることができる。
【図面の簡単な説明】
【０００８】
【図１】実施形態の構成を示すブロック図である。
【図２】ＬＣＤコントローラの起動時動作を示すフローチャートである。
【発明を実施するための形態】
【０００９】
以下、本発明の実施形態について、図面に基づいて説明する。
【００１０】
バックカメラ１０は、車両に後方に向けて設置されており、車両後方の映像を取得する。このバックカメラ１０としては、ＣＣＤカメラなど映像についての電気信号（映像信号）を出力する各種デバイスが利用できる。
【００１１】
バックカメラ１０には、システムコントローラ１２が接続され、ここにバックカメラ１０からの映像信号が供給され、ここでデジタル信号に変換されて各種の映像処理がなされる。システムコントローラ１２の出力は、ＬＣＤコントローラ（ディスプレイコントローラ）１４に供給され、ＬＣＤパネル１６で表示するための信号に変換され、この出力信号がＬＣＤパネル１６に供給されてバックカメラ１０で得た映像がＬＣＤパネル１６に映し出される。なお、本実施形態では、ディスプレイとして液晶（ＬＣＤ）パネルを用いたが有機ＥＬパネルなど他のディスプレイを用いてもよい。
【００１２】
また、システムコントローラ１２、ＬＣＤコントローラ１４には、外部のシリアルバス１８が接続されており、シリアルバス１８を介してデータをやり取りすることができる。特に、本実施形態では、シリアルバス１８には不揮発性メモリ（ＥＥＰＲＯＭ）２０が接続されており、このＥＥＰＲＯＭ２０に登録されている各種の設定データがシステムコントローラ１２、ＬＣＤコントローラ１４によって読み出され、その設定データを利用して映像信号が処理される。
【００１３】
ここで、システムコントローラ１２の構成について説明する。バックカメラ１０から供給された映像信号は、Ａ／Ｄ変換器３０に供給され、ここでデジタルデータに変換される。Ａ／Ｄ変換されたデジタルの映像信号は、ビデオデコーダ３２に供給され、デコードされて画素毎の映像データと同期信号に分離される。このデコードされた映像データは、映像処理回路３４に供給され、ここで所望の画像処理が行われる。ホワイトバランス、明るさについての調整、γ変換や、エッジ強調、ノイズ除去などの処理が行われる。
【００１４】
また、システムコントローラ１２には、ＭＰＵ３６、シリアルバスマスタ３８、割り込み制御部４０が設けられ、これらおよび上述のＡ／Ｄ変換器３０、ビデオデコーダ３２、映像処理回路３４が内部バス４２で共通接続されている。また、シリアルバスマスタ３８には、シリアルバス１８が接続されている。
【００１５】
ＭＰＵ３６は、システムコントローラ１２の全体処理に必要なデータ処理を行い、全体を制御する。シリアルバスマスタ３８は、シリアルバス１８を制御するとともに、後述するＬＣＤコントローラのシリアルバススレーブを制御する。割り込み制御部４０は、ＬＣＤコントローラ１４からの割り込み要求を処理する。
【００１６】
ＬＣＤコントローラ１４は、Ａ／Ｄ変換器５０、ビデオデコーダ５２を有し、バックカメラ１０からの映像信号を受け入れ、デコードされた画素毎の映像データを得る。このデコードされた映像データは、切り換えゲート５４に供給される。この切り換えゲート５４には、システムコントローラ１２の映像処理回路３４からの映像処理済み映像データも供給されている。この切り換えゲート５４は、起動時においてビデオデコーダ５２からのデータを採用するように設定されており、システムコントローラ１２からの制御信号によって、システムコントローラ１２からのデータを採用するように切り換えられる。
【００１７】
切り換えゲート５４の出力は、解像度変換回路５６に供給され、ここでＬＣＤパネル１６の大きさなどにあわせた解像度の変換が行われる。解像度変換回路５６の出力はパネルＩＦ（インタフェース）５８を介し、ＬＣＤパネル１６に供給され、ＬＣＤパネル１６において、バックカメラ１０で取得された映像が表示される。
【００１８】
また、ＬＣＤコントローラ１４には、シリアルバス１８に接続されるポート制御部６０が設けられ、このポート制御部６０に、シリアルバスマスタ６２、シリアルバススレーブ６４が接続されている。また、シリアルバスマスタ６２、シリアルバススレーブ６４には、内部バス６６に接続される内部バス制御部６８が接続されている。さらに、シリアルバスマスタ６２には、メモリ制御部７０も接続されており、このメモリ制御部７０には、割り込み制御部７２が接続されている。割り込み制御部７２は、システムコントローラ１２の割り込み制御部４０に割り込み制御信号を供給する。
【００１９】
ポート制御部６０は、起動時にはシリアルバスマスタ６２を選択し、シリアルバスマスタ６２がシリアルバス１８を制御して通信を行う。この場合、メモリ制御部７０がシリアルバスマスタ６２を制御して、メモリ２０に記憶されている特定の設定データを読み出し、これを内部バス制御部６８、内部バス６６を介し、ＬＣＤコントローラ１４内部の解像度変換回路５６などに供給する。また、システムコントローラ１２が起動した場合には、システムコントローラ１２は、ポート制御部６０を制御して、シリアルバススレーブ６４を選択させる。そして、シリアルバスマスタ３８によりシリアルバス１８を介し、シリアルバススレーブ６４にシステムコントローラ１２の内部で設定された設定データをＬＣＤコントローラ１４内部の各部に設定する。
【００２０】
さらに、メモリ制御部７０は、ＬＣＤコントローラ１４において、各種設定が終了し、ＬＣＤパネル１６における映像表示が開始された場合に、割り込み制御信号をシステムコントローラ１２に供給する。
【００２１】
ここで、ＬＣＤコントローラ１４における処理のフローを図２に基づいて説明する。まず、電源投入、リセット処理が終了したシステムの起動時においては、まずポート制御部６０において、シリアルバスマスタ６２を選択する（Ｓ１１）。そして、シリアルバスマスタ６２は、メモリ制御部７０からの信号に応じて、シリアルバス１８を介し、メモリ２０にアクセスし、必要な設定データを読み出す（Ｓ１２）。そして、読み出した設定データは、内部バス制御部６８、内部バス６２を介し、ＬＣＤコントローラ１４内の各部の設定がなされる（Ｓ１３）。
【００２２】
上述のように、切り換えゲート５４は立ち上がりの際に自動的にビデオデコーダ５２からのデータを選択するように設定するが、内部バス６２を介する各部設定の際に、切り換えゲート５４の選択を設定してもよい。
【００２３】
ここで、このＳ１３の設定が終了した時点で各回路にクロックが供給され、各回路は動作状態になるが、バックカメラ１０が安定な映像信号を出力する状態に安定しているかはわからない。そこで、この時点では、パネルＩＦ５８で生成したＭＵＴＥ映像（例えば全面黒の映像）が出力されるようになっている。
【００２４】
ビデオデコーダ５２において、同期信号を検出できたかを判定する（Ｓ１４）。同期信号が検出された場合には、バックカメラ１０から出力される映像信号が安定したものと判定して次の処理（Ｓ１５）に移る。次に、ＬＣＤコントローラ１４に入力されるフラグＭＵＴＥのレベルを検出して、ＭＵＴＥ映像を解除してバックカメラ１０の映像を出力するか、そのままＭＵＴＥ映像を出力するかを判定する。（Ｓ１５）。このフラグＭＵＴＥは、バックギアの制御に連動した信号を想定している。たとえば、エンジン始動と同時にバックギアに入っていなければ、フラグＭＵＴＥは「０」に設定されている。この時、ＬＣＤコントローラ１４は、バックカメラ１０からの映像を出力せず、パネルＩＦ５８で生成したＭＵＴＥ映像がＬＣＤコントローラ１４から出力される。そして、システムコントローラ１２の起動後に、システムコントローラ１２の映像処理回路３４からのメイン映像信号がＬＣＤコントローラ１２から出力されて、パネル１６へ表示される。
一方、エンジン始動と同時にバックギアを入れた場合には、フラグＭＵＴＥは「１」に設定される。この場合、ＬＣＤコントローラ１２はＭＵＴＥ映像を解除して、バックカメラ１０の映像を出力する。このことにより、エンジン始動と同時にバックギアに入れた場合でも、システムコントローラ１２の起動を待たずにバックカメラ１０の映像をパネル１６へ出力することが可能になる。以上の処理が終了すると、割り込み制御部７２より、システムコントローラ１２に割り込み信号を供給する（Ｓ１７）。
【００２５】
一方、システムコントローラ１２は、起動時において各種の設定を行い、起動処理を終了し、映像処理回路３４から所定の映像信号を出力し始めた場合には、割り込み制御部４０によりＬＣＤコントローラ１４から割り込み信号が供給されているかを判定する。
【００２６】
そして、割り込み信号が供給されている場合には、ＬＣＤコントローラ１４が正常動作をしていることがわかるため、ＬＣＤコントローラ１４に信号を送り、切り換えゲート５４を切り換え、システムコントローラ１２の映像処理回路３４からの映像信号に切り換える。従って、その後は、システムコントローラ１２の映像処理回路３４からの映像信号がＬＣＤパネル１６に供給される。
【００２７】
このように、本実施形態に係るシステムでは、システムの起動時において、ＬＣＤコントローラ１４において、バックカメラ１０からのアナログのコンポジット信号を受け入れ、これに応じた映像をＬＣＤパネル１６に表示することができる。従って、イグニッションスイッチのオン時において、すぐにバックカメラ１０の映像をＬＣＤパネル１６に表示することができる。
【００２８】
そして、システムコントローラ１２からの制御信号に応じてポート制御部６０はシリアルムバス１８への接続をシリアルバススレーブ６４に切り換える。従って、その後はシステムコントローラ１２における映像処理回路３４における画像処理を受けた映像をＬＣＤパネル１６に表示することが可能となる。
【符号の説明】
【００２９】
１０  バックカメラ、１２  システムコントローラ、１４  ＬＣＤコントローラ（ディスプレイコントローラ）、１６  ＬＣＤパネル、１８  シリアルバス、１８  システムバス、２０  メモリ、２８，４８  同期検出回路、３０，５０  Ａ／Ｄ変換器、３２，５２  ビデオデコーダ、３４  映像処理回路、３８，６２  シリアルバスマスタ、４０，７２  割り込み制御部、４２，６６  内部バス、５４  切り換えゲート、５６  解像度変換回路、６０  ポート制御部、６２  シリアルバスマスタ、６４  シリアルバススレーブ、６８  内部バス制御部、７０  メモリ制御部。
【図１】
2013007907.tif 000003
【図２】
2013007907.tif 000004